(57)【特許請求の範囲】
【請求項１】
人の横臥時に肘枕を補助する補助枕であって、横臥した人の脇の下に敷かれるベース部と、このベース部の左右から各々上方へ円弧状に延びるガイドと、これら各ガイドに沿ってスライドする円弧状のスライドバーと、これら各スライドバーの任意のスライド位置を固定するための固定手段と、一方の前記スライドバーの先端に設けられ後頭部側面を支えることができる後頭部枕と、他方の前記スライドバーの先端に設けられ頬部を支えることができる頬部枕と、を有することを特徴とする肘枕用補助枕。
【請求項２】
前記ベース部の心材は、蒲鉾状に円筒状の一部を形成するものであり、前記ガイドは、仮想の大きな一つの円の一部を形成し、第１のパイプ材からなり、前記スライドバーは前記第１のパイプ材の内部に挿入される小径の第２のパイプ材からなり、前記後頭部枕及び前記頬部枕の心材は、人の後頭部又は頬部の曲面に対応し湾曲して形成されていることを特徴とする請求項１に記載の肘枕用補助枕。
【発明の詳細な説明】
【技術分野】
【０００１】
この発明は、人が横臥時して肘枕する際に頭を支えて補助する補助枕に関する。
【背景技術】
【０００２】
人が横臥時して雑誌や新聞などを見る場合には、頭を高く掲げる必要があり、多くの場合には、下になった方の腕の肘を曲げて、肘を立て、その手の上に頭を載せること、すなわち肘枕を行なう。この肘枕は、しびれたり痛くなったりして長時間は耐えられない。
そのため、頭を高く掲げるための補助装置が種々考えられている。例えば、特許文献１には、手や足がしびれることなく、腕枕や膝枕ができるように、縦断面が横Ｕ字状の枕が提案される。また、特許文献２は、頭を支える水平な台が、斜めに突き出した筒の先に設けられ、この筒はロッドに対してスライドし長さが調整できる。
【先行技術文献】
【特許文献】
【０００３】
【特許文献１】特開平０６−１４１９５１
【特許文献２】実登３０２８６８２
【発明の概要】
【発明が解決しようとする課題】
【０００４】
しかしながら、上記特許文献１や２は、肘枕をしないで、単に横臥状態で頭を高く掲げるための装置である。肘枕をしながら使用できるものではない。すなわち、装置を使用しつつ肘枕をするには、特許文献１は肘枕のために肘を立てるための腕のスペースが、明らかに存在しない。特許文献２は、肘枕をしようとする腕が、頭を支える水平な台、斜めに突き出した筒やロッドに干渉してしまう。このため、肘枕をせず、装置だけで頭を支えることになってしまい、首が伸び、首に負担がかかってしまう。よって、長時間の使用は耐えられない。
【０００５】
この発明は、以上の問題点を解決するために、肘枕をしつつ使用することができる肘枕用補助枕を提供することを目的とする。
【課題を解決するための手段】
【０００６】
以上の課題を解決するために、第一発明は、人の横臥時に肘枕を補助する補助枕であって、横臥した人の脇の下に敷かれるベース部と、このベース部の左右から各々上方へ円弧状に延びるガイドと、これら各ガイドに沿ってスライドする円弧状のスライドバーと、これら各スライドバーの任意のスライド位置を固定するための固定手段と、一方の前記スライドバーの先端に設けられ後頭部側面を支えることができる後頭部枕と、他方の前記スライドバーの先端に設けられ頬部を支えることができる頬部枕と、を有することを特徴とする肘枕用補助枕である。
【０００７】
第一発明は、更に、前記ベース部の心材は、蒲鉾状に円筒状の一部を形成するものであり、前記ガイドは、仮想の大きな一つの円の一部を形成し、第１のパイプ材からなり、前記スライドバーは前記第１のパイプ材の内部に挿入される小径の第２のパイプ材からなり、前記後頭部枕及び前記頬部枕の心材は、人の後頭部又は頬部の曲面に対応し湾曲して形成されていることを特徴とする肘枕用補助枕である。
【発明の効果】
【０００８】
第一、又は第二発明によれば、左右に位置する後頭部枕と頬部枕との間で、肘枕をすることができる。すなわち、左右のうち一方に位置する後頭部枕、及びこの後頭部枕が設けられるガイドやスライドバーと、左右のうち他方に位置する頬部枕、及びこの頬部枕が設けられるガイドやスライドバーとは、左右に離れ、その間に存在するスペースで、自由に肘枕をすることができる。また、頭は、この肘枕の手で耳の近くが支えられ、後頭部枕で後頭部が支えられ、頬部枕によって頬部が支えられ、よって頭部の３ヵ所が支えられる。このようにして肘枕用補助枕を使用しつつ肘枕をすることができる。また、肘枕の体勢を取ることで、首は伸びずに済む。これらのことから、首に負担がかかり難い。
【０００９】
更に、右のガイドやスライドバーは右へ円弧状に湾曲し、左のガイドやスライドバーは左へ円弧状に湾曲することになるので、左右のガイドやスライドバーの間には、より大きなスペースが形成され、肘枕の動作をする際に邪魔にならない。
第二発明によれば、更に、前記ベース部の心材は、蒲鉾状に円筒状の一部を形成するものであるので、脇の下に敷く際に、痛くなりにくい。また、ガイドは、仮想の大きな一つの円の一部を形成することから、後頭部枕と頬部枕の間の距離を、連続的に変化でき、これら後頭部枕と頬部枕によって支える頭の大きさと、所望する頭の高さとに、対応できる。また、左右のスライドバーは別個にスライドするので、各々のスライド位置を別個に変えることで、顔の向きにも対応できる。また、ガイドとスライドバーを、ともに、パイプ材とすることで、シンプルで強固な構造にできる。また、後頭部枕及び頬部枕の心材は、人の後頭部又は頬部の曲面に対応し湾曲して形成されているので、後頭部又は頬部への接触が柔らかく行える。
【図面の簡単な説明】
【００１０】
【図１】この発明の一実施形態を示す斜視図である。
【図２】図１の右方向から見た斜視図である。
【図３】図１の動作を示す図である。
【図４】（Ａ）は、図１の実施形態に係る肘枕用補助枕を使用している人を、頭部の前方斜め上から見た斜視図、（Ｂ）は、（Ａ）の人を、頭部の後方から見た図である。
【発明を実施するための形態】
【００１１】
この発明の実施形態を、図１〜図４に示す。
［全体概略］
この肘枕用補助枕１は、人３が横臥した時に、肘枕５をした状態で、肘枕５を補助する補助枕である。横臥した人３の脇７の下に敷かれるベース部９の左右から各々上方へ円弧状にガイド１１が延びる。これら各ガイド１１に沿ってスライドする円弧状のスライドバー１３が設けられ、これら各スライドバー１３の任意のスライド位置を固定手段１５が固定する。一方のスライドバー１３の先端には、後頭部側面を支えることができる後頭部枕１７が設けられる。他方のスライドバー１３の先端に設けられ頬部を支えることができる頬部枕１９が設けられる。左右に位置する後頭部枕１７と頬部枕１９とで頭部２１を支えながら、これらの枕１７、１９の間で、腕の肘を曲げて、肘を立て、その手２３の上に頭部２１を載せること、すなわち肘枕５を行なうことができる。
【００１２】
［ベース部９］
ベース部９の心材２５は、材質はステンレス板であり、大きな円筒の一部を切って蒲鉾状に形成した如き形状のものであり、表面２７は緩やかな連続する曲面である。この円筒状の曲面の下面には、水平な強度板２９（図２参照）が溶接される。このベース部９の心材２５の表面２７は、クッション材３１によって覆われる。
【００１３】
［ガイド１１］
左右の二つのガイド１１は、仮想の大きな一つのほぼ完全な円の一部を形成する（図１、図３参照）。それぞれのガイド１１は、大きな円の下側の略９０度の部分を形成する。これらはステンレス製の第１のパイプ材からなる。各ガイド１１の下端３３は、ベース部９下面の強度板２９（図２参照）に溶接され、上端３５は開口する。
もっとも二つのガイド１１は、後頭部枕１７と頬部枕１９とが、使用する人３の側へやや近づくように、５ミリ程傾けて、より頭部を楽に支えてくれるよう、設けられている。
【００１４】
［スライドバー１３］
スライドバー１３はステンレス製の第２のパイプ材からなる。この第２のパイプ材は、第１のパイプ材の内部に、前記上端３５から挿入される小径のものである。
［後頭部枕１７、頬部枕１９］
後頭部枕及び頬部枕１９の心材２６は、ステンレス製の板材で、図２に示すように、概略皿状であり、人３の後頭部又は頬部の曲面に対応し、これら頭部２１の各部と同じ曲率となるように湾曲して形成されている。これら後頭部枕及び頬部枕１９の心材２６の表面２８は、クッション材３２によって覆われる。
【００１５】
［固定手段１５］
スライドバー１３のガイド１１に対する任意のスライド位置を固定するための固定手段１５は、ネジ式である。すなわち図２に示すように、つまみ３７が一端に形成された雄ネジ３９の他端を、ガイド１１を形成する外側の第１のパイプ材に設けられた雌ネジ穴４１へ羅合し、この他端で、スライドバー１３を形成する内側の第２のパイプ材を、ガイド１１の内周壁に押し付けて、固定を行なう。
【００１６】
「実施形態の効果」
以上の実施形態の肘枕用補助枕１によれば、以下の作用効果を得る。
（１）左右に位置する後頭部枕１７と頬部枕１９との間で、肘枕５をすることができるので、肘枕５をしつつ、肘枕用補助枕１によっても頭を支えることができる。
すなわち、左右のうち一方に位置する後頭部枕１７、及びこの後頭部枕１７が設けられるガイド１１やスライドバー１３と、左右のうち他方に位置する頬部枕１９、及びこの頬部枕１９が設けられるガイド１１やスライドバー１３とは、左右に離れているので、間に存在するスペースＳ（図１、図３）で、自由に肘枕５をすることができる。また、頭は、この肘枕５による手２３で耳の近くが支えられ、後頭部枕１７で後頭部が支えられ、頬部枕１９によって頬部が支えられる。よって頭部２１の３ヵ所が支えられる。このようにして肘枕用補助枕１を使用しつつ肘枕５をすることができる。
【００１７】
（２）また、肘枕５の体勢を取ることで、首と肩が近づいた姿勢になり、このため首は伸びずに済む（図４（Ｂ）参照）。仮に、肘枕５をせず、装置だけで頭を支えると、首と肩が遠くなった姿勢になり、首は伸びる。しかも頭は高く掲げられているので、首には大きな負担がかかる。これらのことから、この肘枕用補助枕１によれば、首に負担がかかり難いと言える。
【００１８】
（３）更に、右のガイド１１やスライドバー１３は右外側へ円弧状に湾曲し、左のガイド１１やスライドバー１３は左外側へ円弧状に湾曲することになるので、左右のガイド１１やスライドバー１３の間には、これらの湾曲の分だけ、より大きなスペースＳ（図１、図３）が形成される。このため、この大きなスペースＳの中で、肘枕５のための動作をすることができ、動作をする際に装置が邪魔にならない。
【００１９】
（４）更に、ベース部９の心材２５は、蒲鉾状に円筒状の一部を形成するものであるので、脇７の下に敷く際に、脇の下から腕にかけてできるやや蒲鉾状の空間に対応し、脇７が痛くなりにくい。すなわち、通常、肘枕をする際にも、脇の下から腕にかけても、やや蒲鉾状に空間ができるので、たとえば座布団の２つ折を脇の下に挟んで肘枕をすると随分と楽になるのと同じように、ベース部９が、脇７の下から腕をも支えてくれるので、脇７が痛くなりにくい。
（４の２）更に、ベース部９の心材２５は、蒲鉾状に円筒状の一部を形成するものであるので、脇７の下に敷く際に、痛くなりにくい。仮に、心材２５の表面を水平にしようとすると、ガイド１１を溶接するスペースを心材２５の下面に設けるためには、結局は、心材２５を直方体にすることになり、この直方体の角が、脇７に接して痛みを覚えてしまう。  
【００２０】
（５）また、図３に示すように、ガイド１１は、仮想の大きな一つの円の一部を形成することから、後頭部枕１７と頬部枕１９の間の距離を、連続的に変化できる。これにより、後頭部枕１７と頬部枕１９によって支える頭の大きさに対応できる。また、これにより、後頭部枕１７や頬部枕１９の高さを変更できるので、所望する頭の高さに対応できる。
【００２１】
（６）また、図１、図３に示すように、左右のスライドバー１３は別個にスライドするので、各々のスライド位置を別個に変えることで、顔の向きにも対応できる。すなわち、一方のスライドバー１３を上方へスライドさせ後頭部枕１７の位置を高くし、あるいは、他方のスライドバー１３を下方へスライドさせ頬部枕１９の位置を低くすることで、顔の向きを下向きにできる。よって、図４（Ａ）に示すように、雑誌４３や新聞を楽に見ることができる。また、顔の向きを水平にすれば、テレビを楽に見ることができる。
【００２２】
（７）また、ガイド１１とスライドバー１３を、ともに、パイプ材とすることで、シンプルで強固な構造にできる。
（８）また、図２に示すように、後頭部枕及び頬部枕１９の心材２６は、人３の後頭部又は頬部の曲面に対応し湾曲して形成されているので、後頭部又は頬部への接触が柔らかく行え、心地よく装置を使うことができる。
（９）後頭部枕１７と頬部枕１９との間に耳を位置させることで、テレビなどを見るときに、耳の聞こえがよい。
「他の実施形態」
以上の実施形態では、ガイド１１となる第１のパイプ材の内部に、スライドバー１３となる第２のパイプ材が、挿入されてスライドが行なわれるものであったが、他の実施形態では、逆に、ガイド１１となる第１のパイプ材の外側に、スライドバー１３となる第２のパイプ材が、被せられてスライドが行なわれるものでも良い。
【００２３】
この場合には、ネジ式の固定手段１５は、例えば、つまみ３７が一端に形成された雄ネジ３９の他端を、スライドバー１３となる外側の第２のパイプ材に設けられた雌ネジ穴へ羅合し、この他端を、ガイド１１となる第１のパイプ材へ押し付けて、固定を行なうことができる。
【００２４】
以上の実施形態では、ガイド１１とスライドバー１３は、ともに、パイプ材であったが、他の実施形態では、パイプ材以外の構造とすることができる。例えば、断面が四角形のガイド１１の周囲に、断面がコの字状のスライドバー１３が嵌合することで、スライドすることができる
以上の実施形態では、左右の二つのガイド１１は、仮想の大きな一つの完全な円の一部を形成するものであったが、他の実施形態では、完全な円である必要はない。スライドが行える範囲で不完全な円であってもよい。すなわち、仮想の大きな一つの円は、中央部分が省略され、左右の部分だけが中央へ集められた、いわば楕円のような形状でもよい。左右の二つのガイド１１が、このような仮想の大きな一つの不完全な円の一部を形成するものであっても、スライドが行なえ、本発明は機能する。のみならず、スライドを行なって後頭部枕１７や頬部枕１９の上下位置を大きく変更しても、左右の位置の変更を小さくすることができる。
以上の実施形態では、材質はステンレス製としたが、他の実施形態では、他の材質、例えば鉄製やプラスチック製などが用いられうる。
【符号の説明】
【００２５】
１…肘枕用補助枕、３…人、５…肘枕、７…脇、９…ベース部、１１…ガイド、１３…スライドバー、１５…固定手段、１７…後頭部枕、１９…頬部枕、２１…頭部、２３…手、２５、２６…心材、２７、２８…表面、２９…強度板、３１…クッション材、３３…下端、３５…上端、３７…つまみ、３９…雄ネジ、４１…雌ネジ穴。
【要約】
【課題】肘枕をしながら使用できる肘枕用補助枕を提供する。
【解決手段】横臥した人３の脇７の下に敷かれるベース部９の左右から各々上方へ円弧状にガイド１１が延びる。これら各ガイド１１に沿ってスライドする円弧状のスライドバー１３が設けられ、これら各スライドバー１３の任意のスライド位置を固定手段１５が固定する。一方のスライドバー１３の先端には、後頭部側面を支えることができる後頭部枕１７が設けられる。他方の前記スライドバー１３の先端に設けられ頬部を支えることができる頬部枕１９が設けられる。左右に位置する後頭部枕１７と頬部枕１９との間で、肘枕５をすることができる。
【選択図】図１【図１】
0004754036.tif 000002
【図２】
0004754036.tif 000003
【図３】
0004754036.tif 000004
【図４】
0004754036.tif 000005